(57)【要約】【課題】ページボックスをきわめて簡便に設定可能な面付け装置、方法及びプログラムを提供する。【解決手段】プレビュー画像１２２にてページ画像１２８に対するフレーム画像１３０、１５４の相対位置（或いは相対サイズ）の変更及び該変更の停止を指示する。そして、停止の指示を受け付けた場合に追加的な変更を行うことで、決定された基準位置（基準枠１１０、１１２又は基準線１１４、１１６）にフレーム画像１３０、１５４が接するようにプレビュー画像１２２を更新する。【選択図】図９
2015007951.tif 000002
【特許請求の範囲】
【請求項１】
ページの境界を特定するページボックスをページ領域毎に設定する面付け装置であって、
少なくとも１つの点又は線で特定される基準位置を前記ページ領域の中から決定する基準位置決定部と、
前記ページ領域に配置されるページ画像に、該ページ画像上での前記ページの境界を示すフレーム画像を重ねたプレビュー画像を表示する表示部と、
前記表示部により表示された前記プレビュー画像にて前記ページ画像に対する前記フレーム画像の相対位置の変更及び該変更の停止を指示する画像変更指示部と、
前記画像変更指示部による前記停止の指示を受け付けた場合に追加的な変更を行うことで、前記基準位置決定部により決定された前記基準位置に前記フレーム画像が接するように前記プレビュー画像を更新する画像更新部と
を備えることを特徴とする面付け装置。
【請求項２】
ページの境界を特定するページボックスをページ領域毎に設定する面付け装置であって、
少なくとも１つの点又は線で特定される基準位置を前記ページ領域の中から決定する基準位置決定部と、
前記ページ領域に配置されるページ画像に、該ページ画像上での前記ページの境界を示すフレーム画像を重ねたプレビュー画像を表示する表示部と、
前記表示部により表示された前記プレビュー画像にて前記ページ画像に対する前記フレーム画像の相対サイズの変更及び該変更の停止を指示する画像変更指示部と、
前記画像変更指示部による前記停止の指示を受け付けた場合に追加的な変更を行うことで、前記基準位置決定部により決定された前記基準位置に前記フレーム画像が接するように前記プレビュー画像を更新する画像更新部と
を備えることを特徴とする面付け装置。
【請求項３】
請求項１又は２に記載の面付け装置において、
前記フレーム画像の停止位置と前記基準位置の距離が閾値を下回るか否かを判定する距離判定部を更に備え、
前記画像更新部は、更に、前記距離判定部により下回ると判定された場合に、前記追加的な変更を行うことで前記プレビュー画像を更新する
ことを特徴とする面付け装置。
【請求項４】
請求項１又は２に記載の面付け装置において、
前記フレーム画像の現在位置と前記基準位置の距離が閾値を下回るか否かを判定する距離判定部を更に備え、
前記画像更新部は、前記距離判定部による判定結果に応じて表示形態を異ならせるように前記プレビュー画像を更新する
ことを特徴とする面付け装置。
【請求項５】
請求項１〜４のいずれか１項に記載の面付け装置において、
前記画像変更指示部は、前記追加的な変更の許否について更に指示し、
前記画像更新部は、前記画像変更指示部にて許可する旨が指示された場合に限り、前記追加的な変更を行うことで前記プレビュー画像を更新する
ことを特徴とする面付け装置。
【請求項６】
請求項１〜５のいずれか１項に記載の面付け装置において、
前記基準位置決定部は、前記ページ画像の中に位置決めマークが含まれている場合、該位置決めマークにより特定される前記ページ画像上での位置に基づいて前記基準位置を決定することを特徴とする面付け装置。
【請求項７】
請求項１〜６のいずれか１項に記載の面付け装置において、
前記画像変更指示部は、前記表示部に設けられた表示画面上での接触位置又は近接位置を検出するタッチセンサで構成されることを特徴とする面付け装置。
【請求項８】
請求項１〜７のいずれか１項に記載の面付け装置において、
前記画像更新部により更新された前記プレビュー画像にて特定される前記ページボックスの位置情報を、前記ページ領域に対応付けて取得するボックス位置取得部を更に備えることを特徴とする面付け装置。
【請求項９】
請求項８記載の面付け装置において、
前記ボックス位置取得部は、前記プレビュー画像にて特定される前記ページボックスの位置情報を、前記プレビュー画像の表示対象ではない少なくとも１つのページ領域に更に対応付けて取得することを特徴とする面付け装置。
【請求項１０】
ページの境界を特定するページボックスをページ領域毎に設定する面付け方法であって、
少なくとも１つの点又は線で特定される基準位置を前記ページ領域の中から決定するステップと、
前記ページ領域に配置されるページ画像に、該ページ画像上での前記ページの境界を示すフレーム画像を重ねたプレビュー画像を表示させるステップと、
表示された前記プレビュー画像にて前記ページ画像に対する前記フレーム画像の相対位置の変更及び該変更の停止を指示するステップと、
前記停止の指示を受け付けた場合に追加的な変更を行うことで、決定された前記基準位置に前記フレーム画像が接するように前記プレビュー画像を更新するステップと
をコンピュータに実行させることを特徴とする面付け方法。
【請求項１１】
ページの境界を特定するページボックスをページ領域毎に設定する面付け方法であって、
少なくとも１つの点又は線で特定される基準位置を前記ページ領域の中から決定するステップと、
前記ページ領域に配置されるページ画像に、該ページ画像上での前記ページの境界を示すフレーム画像を重ねたプレビュー画像を表示させるステップと、
表示された前記プレビュー画像にて前記ページ画像に対する前記フレーム画像の相対サイズの変更及び該変更の停止を指示するステップと、
前記停止の指示を受け付けた場合に追加的な変更を行うことで、決定された前記基準位置に前記フレーム画像が接するように前記プレビュー画像を更新するステップと
をコンピュータに実行させることを特徴とする面付け方法。
【請求項１２】
ページの境界を特定するページボックスをページ領域毎に設定する面付けプログラムであって、
少なくとも１つの点又は線で特定される基準位置を前記ページ領域の中から決定するステップと、
前記ページ領域に配置されるページ画像に、該ページ画像上での前記ページの境界を示すフレーム画像を重ねたプレビュー画像を表示させるステップと、
表示された前記プレビュー画像にて前記ページ画像に対する前記フレーム画像の相対位置の変更及び該変更の停止を指示するステップと、
前記停止の指示を受け付けた場合に追加的な変更を行うことで、決定された前記基準位置に前記フレーム画像が接するように前記プレビュー画像を更新するステップと
をコンピュータに実行させることを特徴とする面付けプログラム。
【請求項１３】
ページの境界を特定するページボックスをページ領域毎に設定する面付けプログラムであって、
少なくとも１つの点又は線で特定される基準位置を前記ページ領域の中から決定するステップと、
前記ページ領域に配置されるページ画像に、該ページ画像上での前記ページの境界を示すフレーム画像を重ねたプレビュー画像を表示させるステップと、
表示された前記プレビュー画像にて前記ページ画像に対する前記フレーム画像の相対サイズの変更及び該変更の停止を指示するステップと、
前記停止の指示を受け付けた場合に追加的な変更を行うことで、決定された前記基準位置に前記フレーム画像が接するように前記プレビュー画像を更新するステップと
をコンピュータに実行させることを特徴とする面付けプログラム。
【発明の詳細な説明】
【技術分野】
【０００１】
この発明は、ページの境界を特定するページボックスをページ領域毎に設定する面付け装置、方法及びプログラムに関する。
【背景技術】
【０００２】
近時、印刷製版の分野において、中間成果物を生成せずに電子データから刷版を直接形成するＣＴＰ（Computer To Plate）が普及している。そこで、デザイナが情報処理端末を用いてコンテンツを創作した後、電子データとして印刷会社側に提供するケースが増加している。例えば、ページ記述データの一種であるＰＤＦ（Portable Document File）ｖｅｒｓｉｏｎ１．３には、プリプレス制作ワークフローを支援するため、ページの境界を定義するパラメータである「ページボックス」が５種類定義されている。印刷会社に属する作業者は、電子的な面付け作業を実行する際に、この「ページボックス」を利用することができる。
【先行技術文献】
【非特許文献】
【０００３】
【非特許文献１】ＰＤＦリファレンス  第２版、  Ａｄｏｂｅ  Ｐｏｒｔａｂｌｅ  Ｄｏｃｕｍｅｎｔ  Ｆｏｒｍａｔ  Ｖｅｒｓｉｏｎ１．３、２００８年１１月２０日初版第５刷発行、著者；アドビシステムズ、発行所；株式会社ピアソン・エデュケーション、ＩＳＢＮ４−８９４７１−３３８−１、４５２−４５４ページ等参照
【発明の概要】
【発明が解決しようとする課題】
【０００４】
ところで、ページボックスは、ページ領域に配置されるコンテンツ（描画の形態）とは別の、独立したパラメータの一種である。そのため、不知のデザイナがページボックスを設定することなく入稿する場合、情報処理端末の動作環境によってページボックスの設定ができない場合等に、印刷に適した設定値が入力されないことになる。この場合、電子データを受け取った作業者は、ページボックスの設定値をその都度に修正する必要があり、煩に堪えなかった。
【０００５】
本発明は上記した課題を解決するためになされたものであり、ページボックスをきわめて簡便に設定可能な面付け装置、方法及びプログラムを提供することを目的とする。
【課題を解決するための手段】
【０００６】
本発明に係る面付け装置は、ページの境界を特定するページボックスをページ領域毎に設定する装置であって、少なくとも１つの点又は線で特定される基準位置を上記ページ領域の中から決定する基準位置決定部と、上記ページ領域に配置されるページ画像に、該ページ画像上での上記ページの境界を示すフレーム画像を重ねたプレビュー画像を表示する表示部と、上記表示部により表示された上記プレビュー画像にて上記ページ画像に対する上記フレーム画像の相対位置の変更及び該変更の停止を指示する画像変更指示部と、上記画像変更指示部による上記停止の指示を受け付けた場合に追加的な変更を行うことで、上記基準位置決定部により決定された上記基準位置に上記フレーム画像が接するように上記プレビュー画像を更新する画像更新部とを備える。
【０００７】
本発明に係る面付け装置は、ページの境界を特定するページボックスをページ領域毎に設定する装置であって、少なくとも１つの点又は線で特定される基準位置を上記ページ領域の中から決定する基準位置決定部と、上記ページ領域に配置されるページ画像に、該ページ画像上での上記ページの境界を示すフレーム画像を重ねたプレビュー画像を表示する表示部と、上記表示部により表示された上記プレビュー画像にて上記ページ画像に対する上記フレーム画像の相対サイズの変更及び該変更の停止を指示する画像変更指示部と、上記画像変更指示部による上記停止の指示を受け付けた場合に追加的な変更を行うことで、上記基準位置決定部により決定された上記基準位置に上記フレーム画像が接するように上記プレビュー画像を更新する画像更新部とを備える。
【０００８】
このように、プレビュー画像にてページ画像に対するフレーム画像の相対位置（或いは相対サイズ）の変更及び該変更の停止を指示する画像変更指示部と、停止の指示を受け付けた場合に追加的な変更を行うことで、決定された基準位置にフレーム画像が接するようにプレビュー画像を更新する画像更新部とを設けたので、停止の指示位置の精度を要することなくフレーム画像を基準位置に移動可能になり、ページボックスをきわめて簡便に設定できる。
【０００９】
また、上記フレーム画像の停止位置と上記基準位置の距離が閾値を下回るか否かを判定する距離判定部を更に備え、上記画像更新部は、更に、上記距離判定部により下回ると判定された場合に、上記追加的な変更を行うことで上記プレビュー画像を更新することが好ましい。
【００１０】
また、上記フレーム画像の現在位置と上記基準位置の距離が閾値を下回るか否かを判定する距離判定部を更に備え、上記画像更新部は、上記距離判定部による判定結果に応じて表示形態を異ならせるように上記プレビュー画像を更新することが好ましい。
【００１１】
また、上記画像変更指示部は、上記追加的な変更の許否について更に指示し、上記画像更新部は、上記画像変更指示部にて許可する旨が指示された場合に限り、上記追加的な変更を行うことで上記プレビュー画像を更新することが好ましい。
【００１２】
また、上記基準位置決定部は、上記ページ画像の中に位置決めマークが含まれている場合、該位置決めマークにより特定される上記ページ画像上での位置に基づいて上記基準位置を決定することが好ましい。
【００１３】
また、上記画像変更指示部は、上記表示部に設けられた表示画面上での接触位置又は近接位置を検出するタッチセンサで構成されることが好ましい。
【００１４】
また、上記画像更新部により更新された上記プレビュー画像にて特定される上記ページボックスの位置情報を、上記ページ領域に対応付けて取得するボックス位置取得部を更に備えることが好ましい。
【００１５】
また、上記ボックス位置取得部は、上記プレビュー画像にて特定される上記ページボックスの位置情報を、上記プレビュー画像の表示対象ではない少なくとも１つのページ領域に更に対応付けて取得することが好ましい。
【００１６】
本発明に係る面付け方法は、ページの境界を特定するページボックスをページ領域毎に設定する方法であって、少なくとも１つの点又は線で特定される基準位置を上記ページ領域の中から決定するステップと、上記ページ領域に配置されるページ画像に、該ページ画像上での上記ページの境界を示すフレーム画像を重ねたプレビュー画像を表示させるステップと、表示された上記プレビュー画像にて上記ページ画像に対する上記フレーム画像の相対位置の変更及び該変更の停止を指示するステップと、上記停止の指示を受け付けた場合に追加的な変更を行うことで、決定された上記基準位置に上記フレーム画像が接するように上記プレビュー画像を更新するステップとをコンピュータに実行させる。
【００１７】
本発明に係る面付け方法は、ページの境界を特定するページボックスをページ領域毎に設定する方法であって、少なくとも１つの点又は線で特定される基準位置を上記ページ領域の中から決定するステップと、上記ページ領域に配置されるページ画像に、該ページ画像上での上記ページの境界を示すフレーム画像を重ねたプレビュー画像を表示させるステップと、表示された上記プレビュー画像にて上記ページ画像に対する上記フレーム画像の相対サイズの変更及び該変更の停止を指示するステップと、上記停止の指示を受け付けた場合に追加的な変更を行うことで、決定された上記基準位置に上記フレーム画像が接するように上記プレビュー画像を更新するステップとをコンピュータに実行させる。
【００１８】
本発明に係る面付けプログラムは、ページの境界を特定するページボックスをページ領域毎に設定するプログラムであって、少なくとも１つの点又は線で特定される基準位置を上記ページ領域の中から決定するステップと、上記ページ領域に配置されるページ画像に、該ページ画像上での上記ページの境界を示すフレーム画像を重ねたプレビュー画像を表示させるステップと、表示された上記プレビュー画像にて上記ページ画像に対する上記フレーム画像の相対位置の変更及び該変更の停止を指示するステップと、上記停止の指示を受け付けた場合に追加的な変更を行うことで、決定された上記基準位置に上記フレーム画像が接するように上記プレビュー画像を更新するステップとをコンピュータに実行させる。
【００１９】
本発明に係る面付けプログラムは、ページの境界を特定するページボックスをページ領域毎に設定するプログラムであって、少なくとも１つの点又は線で特定される基準位置を上記ページ領域の中から決定するステップと、上記ページ領域に配置されるページ画像に、該ページ画像上での上記ページの境界を示すフレーム画像を重ねたプレビュー画像を表示させるステップと、表示された上記プレビュー画像にて上記ページ画像に対する上記フレーム画像の相対サイズの変更及び該変更の停止を指示するステップと、上記停止の指示を受け付けた場合に追加的な変更を行うことで、決定された上記基準位置に上記フレーム画像が接するように上記プレビュー画像を更新するステップとをコンピュータに実行させる。
【発明の効果】
【００２０】
本発明に係る面付け装置、方法及びプログラムによれば、プレビュー画像にてページ画像に対するフレーム画像の相対位置（或いは相対サイズ）の変更及び該変更の停止を指示し、停止の指示を受け付けた場合に追加的な変更を行うことで、決定された基準位置にフレーム画像が接するようにプレビュー画像を更新するので、停止の指示位置の精度を要することなくフレーム画像を基準位置に移動可能になり、ページボックスをきわめて簡便に設定できる。
【図面の簡単な説明】
【００２１】
【図１】この実施形態に係る面付け装置を組み込んだ印刷物生産システムの全体構成図である。
【図２】図１に示す面付け装置の電気的なブロック図である。
【図３】図１及び図２に示す面付け装置の動作説明に供されるフローチャートである。
【図４】図４Ａは、コンテンツデータが表すページ領域を可視化した概略正面図である。図４Ｂは、図４Ａのページ領域に対する基準位置の決定結果を示す説明図である。
【図５】ページボックスの設定画面を表す第１の画像図である。
【図６】図６Ａ及び図６Ｂは、プレビュー画像の形態変化を示す画像図である。
【図７】図７Ａ〜図７Ｄは、基準枠とフレーム画像との位置関係を示す概略説明図である。
【図８】図８Ａ及び図８Ｂは、プレビュー画像の形態変化を示す画像図である。
【図９】図９Ａ及び図９Ｂは、プレビュー画像の形態変化を示す画像図である。
【図１０】図１０Ａ及び図１０Ｂは、プレビュー画像の概略正面図である。
【図１１】ページボックスの設定画面を表す第２の画像図である。
【図１２】タッチセンサによる画面操作の一例を示す概略図である。
【発明を実施するための形態】
【００２２】
以下、本発明に係る面付け方法について、それを実施する面付け装置及び面付けプログラムとの関係において好適な実施形態を挙げ、添付の図面を参照しながら詳細に説明する。
【００２３】
［印刷物生産システム１０の全体構成］
図１は、この実施形態に係る面付け装置２０を組み込んだ印刷物生産システム１０の全体構成図である。
【００２４】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したデータの編集等を含むＤＴＰ（Desktop Publishing）処理を行うためのＤＴＰ端末１８と、ＤＴＰ端末１８により処理されたコンテンツデータを面付けする面付け装置２０と、面付け装置２０により面付けされた出力用データに基づいてラスタライズ処理や色変換処理等の各画像処理を実行するＲＩＰ装置２２と、ＲＩＰ装置２２から送信された校正用データに基づいてプルーフ２４を印刷可能である校正機２６と、ＲＩＰ装置２２から送信された製版用データに基づいて刷版２８を作製するプレートセッタ３０と、刷版２８を装着して印刷物３２を形成可能であるオフセット印刷機３４と、が設けられている。
【００２５】
サーバ装置１６は、印刷物生産システム１０におけるワークフロー管理の中核をなす装置である。サーバ装置１６は、ルータ１４及びネットワーク１２を介して、デザイナ及び／又は制作会社（いずれも図示しない）が備える各端末装置に通信可能に接続されている。また、サーバ装置１６は、印刷物生産システム１０内に構築されたＬＡＮ（Local Area Network）３６を介して、ＤＴＰ端末１８、面付け装置２０及びＲＩＰ装置２２に通信可能に接続されている。
【００２６】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。
【００２７】
なお、ファイルサーバとして管理可能な各種データファイルには、例えば、コンテンツデータ、印刷用データ（例えば、製版用データ、刷版用データ、又は校正用データ）、ジョブチケット｛例えば、ＪＤＦ（Job Definition Format）ファイル｝、ＩＣＣ（International Color Consortium）プロファイル、色見本データ等が含まれる。
【００２８】
ＤＴＰ端末１８は、文字、図形、絵柄や写真等から構成されるコンテンツデータに対してプリフライト処理を施した後、ページ単位の画像データを作成する。面付け装置２０は、ジョブチケットのタグ情報を参照しながら、指定された綴じ方法や紙折り方法に応じた面付け処理を行う。
【００２９】
ＲＩＰ装置２２は、少なくとも１種の印刷機に対する印刷処理サーバとして機能する。図１例では、ＲＩＰ装置２２は、校正機２６と、プレートセッタ３０とに通信可能に接続されている。この場合、ＲＩＰ装置２２は、ページ記述言語で記述されたＰＤＬ形式のデータ（以下、ページ記述データともいう）を各出力デバイスに適した出力用データに変換し、該出力用データを校正機２６又はプレートセッタ３０に供給する。
【００３０】
校正機２６は、ＲＩＰ装置２２から供給された校正用データに基づいて、校正用紙３８（印刷媒体）上に画像が形成されたプルーフ２４を出力する。校正機２６として、ＤＤＣＰ（Direct Digital Color Proofing）、インクジェットカラープルーファ、低解像度のカラーレーザプリンタ（電子写真方式）又はインクジェットプリンタ等を用いてもよい。
【００３１】
オフセット印刷機３４は、刷版２８及び図示しない中間転写体を介して、インキを印刷用紙４０（印刷媒体）の片面又は両面に付着させることで、印刷用紙４０上に画像が形成された印刷物３２を出力する。なお、オフセット印刷機３４に代替して、ダイレクト印刷のためのデジタル印刷機を設けてもよい。デジタル印刷機としては、インクジェット印刷機、ワイドフォーマット印刷機、インクジェットカラープルーファ、カラーレーザプリンタ等を用いてもよい。
【００３２】
［面付け装置２０の電気的なブロック図］
図２は、図１に示す面付け装置２０の電気的なブロック図である。面付け装置２０は、基本的には、制御部５０と、通信Ｉ／Ｆ５２と、表示制御部５４と、表示部５６と、入力部５８と、メモリ６０（記憶媒体）とを備えるコンピュータである。
【００３３】
通信Ｉ／Ｆ５２は、外部装置からの電気信号を送受信するインターフェース（Ｉ／Ｆ）である。これにより、面付け装置２０は、各種データ（例えば、コンテンツデータ６２）をサーバ装置１６（図１）から取得可能であり、各種データ（例えば、面付けデータ６４）をサーバ装置１６に供給可能である。
【００３４】
表示制御部５４は、制御部５０の制御に従って、表示部５６を駆動制御する制御回路である。表示制御部５４が、図示しないＩ／Ｆを介して、表示制御信号を表示部５６に出力することで、表示部５６が駆動する。これにより、表示部５６は、ウィンドウＷ（図５等）を含む各種画像を表示することができる。
【００３５】
メモリ６０は、制御部５０が各構成要素を制御するのに必要なプログラム及びデータ等を記憶している。本図例では、ＰＤＦ形式のコンテンツデータ６２及びＪＤＦ形式の面付けデータ６４がそれぞれ格納されている。
【００３６】
メモリ６０は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３７】
制御部５０は、ＣＰＵ（Central Processing Unit）等のプロセッサによって構成されている。制御部５０は、メモリ６０に格納されたプログラムを読み出し実行することで、面付け処理部６６、表示用データ作成部６８、及びラスタライズ処理部７０の各機能を実現可能である。
【００３８】
面付け処理部６６は、予め取得したコンテンツデータ６２に基づき、後述するページボックスの設定値を含む面付けデータ６４を作成する。具体的には、面付け処理部６６は、プレビュー画像１２２（図５）を逐次更新する画像更新部７２、ページ領域１００（図４Ａ）の中から基準位置を決定する基準位置決定部７４、フレーム画像１５４（図６Ｂ等）を相対移動及び停止させるための一連の操作を受け付ける特定操作受付部７６、フレーム画像１５４の位置と基準位置の距離を算出・判定する距離判定部７８、及び、フレーム画像１５４の位置に応じてページボックスの設定値を取得するボックス位置取得部８０を備える。
【００３９】
表示用データ作成部６８は、設定画面１２０（図５等）を作成する画面作成部８２及びプレビュー画像１２２（同図）を作成する画像作成部８４を備える。
【００４０】
ラスタライズ処理部７０は、面付け処理済みのページ記述データに対してラスタライズ処理を実行する。このラスタライズ処理には、ＰＤＬ形式からラスタ形式に変換するデータ形式変換処理と、ＩＣＣプロファイルを用いたカラーマッチング処理とが含まれる。
【００４１】
入力部５８は、マウス、トラックボール、キーボード、タッチセンサ等の種々の入力デバイスで構成される。表示部５６による表示機能及び入力部５８による入力機能を組み合わせることでユーザ・インターフェースを実現する。この場合、入力部５８は、フレーム画像１５４（図６Ｂ等）の相対的な位置・サイズの変更及び停止、又は追加的な変更（詳細は後述する）の許否を指示する画像変更指示部８６、プレビュー画像１２２の表示形態を指示する表示形態指示部８８として機能する。
【００４２】
［面付け装置２０の動作］
この実施形態に係る面付け装置２０は、以上のように構成される。続いて、図１及び図２に示す面付け装置２０の動作について、図３のフローチャートを主に参照しながら詳細に説明する。先ず、本発明の理解に必要な用語（ページボックス及び吸着処理）について定義する。
【００４３】
ＰＤＦには、プリプレス制作ワークフローを支援するため、ページボックスを設定可能に構成されている。ここで、「ページボックス」とは、ページの境界を定義するパラメータであり、ＭｅｄｉａＢｏｘ（メディアボックス）、ＢｌｅｅｄＢｏｘ（裁ち落としボックス）、ＣｒｏｐＢｏｘ（クロップボックス）、ＴｒｉｍＢｏｘ（トリムボックス）及びＡｒｔＢｏｘ（アートボックス）の５種類が用意されている。
【００４４】
なお、「ＭｅｄｉａＢｏｘ」（メディアサイズ）は、ページの印刷先となる物理媒体の出力可能な最大領域を定義する。また、「ＢｌｅｅｄＢｏｘ」（裁ち落としサイズ）は、制作環境での出力時にページの内容がクリッピングされることになる領域を定義する。また、「ＣｒｏｐＢｏｘ」（トリミングサイズ）は、ページの内容が出力されるときにクリッピングされる領域を定義する。また、「ＴｒｉｍＢｏｘ」（仕上がりサイズ）は、トリミング後の完成ページで意図する寸法を定義する。また、「ＡｒｔＢｏｘ」（アートサイズ）は、作成者が意図するページの中の、意味がある内容の範囲を定義する。
【００４５】
コンテンツデータ６２の創作者であるデザイナは、電子データの入稿の際に、画像のレイアウトに適した「ページボックス」の各値を予め入力しておく。例えば、この入力が行われなかった場合、通常、デフォルト値が設定されている。そこで、作業者は、ページボックスに正しい値が設定されているか否かを確認し、必要に応じて設定値を修正する必要がある。
【００４６】
そこで、この実施形態では、ページ及びページボックスの形態を可視表示した状態下、ユーザとしての作業者の操作に応じて、仮想的なフレームの位置を調整可能なグラフィカル・ユーザ・インターフェースを提供する。特に、面付け装置２０は、ユーザによる調整操作を支援するため、吸着処理の機能を搭載している。ここで、「吸着処理」とは、プレビュー画像１２２（図５）上において、ページ画像１２８上にある基準位置（例えば、トンボ）に接するように、フレーム画像１５４を自動的に変更させる処理である。
【００４７】
図３のステップＳ１において、面付け処理部６６は、面付け対象であるコンテンツデータ６２をメモリ６０等から読み出し取得すると共に、該コンテンツデータ６２の内容を解析する。
【００４８】
図４Ａは、コンテンツデータ６２が表すページ領域１００を可視化した概略正面図である。矩形状のページ領域１００の上には、電子機器の斜視図を示すコンテンツ画像１０２、４つの角トンボ１０４ａ〜１０４ｄ、及び４つの中央トンボ１０６ａ〜１０６ｄがそれぞれ配置されている。
【００４９】
解析処理の際に、基準位置決定部７４は、少なくとも１つの点又は線で特定される基準の位置（以下、単に「基準位置」）をページ領域１００の中から決定する。例えば、基準位置決定部７４は、ページ領域１００内に存在する位置決めマーク（いわゆるトンボ）を自動的に検出し、その検出結果に基づいて基準位置を決定する。位置決めマークの検出方法として、画像の色及び／又は形状に基づく公知の検出処理を適用できる。例えば、位置決めマークとして、特定の色（網パーセントが１００％）を含む部位、特定方向に沿った直線成分又はエッジ強度を含む部位をそれぞれ抽出してもよい。
【００５０】
図４Ｂは、図４Ａのページ領域１００に対する基準位置の決定結果を示す説明図である。ページ領域１００全体の境界であるページ外枠１０８の中には、基準枠１１０、１１２、及び基準線１１４、１１６が存在する。基準枠１１０は、二重の角トンボ１０４ａ〜１０４ｄが指示する１点（２つのＬ字状マークの交点）をそれぞれ結んだ矩形状の枠である。基準枠１１２は、二重の角トンボ１０４ａ〜１０４ｄが指示する別の１点（外接四角形の頂点であってＬ字の頂角側）をそれぞれ結んだ矩形状の枠である。基準線１１４は、中央トンボ１０６ａ、１０６ｂの重心位置を結んだ縦方向に延びる直線である。基準線１１６は、中央トンボ１０６ｃ、１０６ｄの重心位置を結んだ横方向に延びる直線である。
【００５１】
なお、この決定処理に際し、上記のように自動的に決定する手法に限られず、例えば、作業者によるマニュアル操作を介して基準位置を決定する手法を採用できることは言うまでもない。
【００５２】
ステップＳ２において、画像作成部８４は、ステップＳ１で取得されたコンテンツデータ６２に基づき、プレビュー画像１２２（図５等参照）を作成する。なお、プレビュー画像１２２の具体的な形態に関しては後述する。
【００５３】
ステップＳ３において、面付け装置２０は、ページボックスの設定に供される設定画面１２０の表示を行う。設定を開始する旨の指示に応じて、画面作成部８２は、設定画面１２０（プレビュー画像１２２を含む）の表示用データを作成した後、該表示用データを表示制御部５４に供給する。そして、表示制御部５４は、ウィンドウＷ（設定画面１２０を含む）を表示部５６に表示させる。
【００５４】
図５に示すように、設定画面１２０上には、プレビュー画像１２２、設定欄１２４、及び［閉じる］［保存］と表記されたボタン群１２６が配置されている。作業者は、入力部５８（図２）を操作させながら、プレビュー画像１２２又は設定欄１２４を介して各種設定を行うことができる。
【００５５】
プレビュー画像１２２は、ページ領域１００（図４Ａ）に配置するページ画像１２８に、該ページ画像１２８上でのページボックスの位置を示すフレーム画像１３０を重ねた画像である。フレーム画像１３０は、各設定値に対応する位置にそれぞれ、ページボックスの種類毎に異なる表示形態にて表示される。本図例では、ページボックスの設定値はすべて同じであるため、実質的に１つのフレーム画像１３０が表記されている。プレビュー画像１２２上には、更に、縦方向に沿った中心線１３２、横方向に沿った中心線１３４が重ねて表示されている。破線で示された２本の中心線１３２、１３４は、フレーム画像１３０の中心位置で交差している。
【００５６】
プレビュー画像１２２の上方には、複数のツールアイコンで構成されたアイコン群１３５が配置されている。アイコン群１３５は、プレビュー画像１２２の表示形態を指示する表示形態指示部８８（図２）として機能する。すなわち、アイコン群１３５を介した操作に応じて、プレビュー画像１２２の回転、移動、反転又は拡大・縮小を含む種々の表示形態を実現できる。
【００５７】
設定欄１２４には、ページボックスの一覧表１３６、チェックボックス１３８、２つのプルダウンメニュー１４０、１４２、１つのテキストボックス群１４４、１つの欄１４６、及びプルダウンメニュー１４８が配置されている。
【００５８】
一覧表１３６には、左側から右側にわたって、ページボックスの「名称」、左右方向（Ｘ軸）座標の最小値に相当する「左」、上下方向（Ｙ軸）座標の最小値に相当する「下」、左右方向（Ｘ軸）座標の最大値に相当する「右」、上下方向（Ｙ軸）座標の最大値に相当する「上」の各項目が表記されている。例えば、フレーム画像１３０及び一覧表１３６の表示色をページボックスの種類毎に統一させることで、作業者は、ページボックスの現在の位置及び設定値について一見して把握できる。
【００５９】
チェックボックス１３８は、吸着処理の実行を許可するか否かを設定するためのコントロールである。例えば、ページ領域１００（図４Ａ参照）内に存在する位置決めマークから基準位置を決定可能であるとき、チェックボックス１３８が「アクティブ」で表示される。そして、このチェックが「ＯＮ」である場合に吸着処理の実行を許可する旨、チェックが「ＯＦＦ」である場合に当該実行を許可しない旨がそれぞれ設定される。
【００６０】
プルダウンメニュー１４０は、中心線１３２、１３４の基準となるページボックスの種類を択一的に設定するためのコントロールである。プルダウンメニュー１４２は、メディアボックスの大きさを設定するためのコントロールである。
【００６１】
テキストボックス群１４４は、ページボックスの位置を設定するためのコントロールである。作業者は、テキストボックス群１４４を介して、一覧表１３６と同様に定義される「左」「下」「右」「上」の各値（単位：ｍｍ）をテキスト入力できる。また、テキストボックス群１４４の入力値はフレーム画像１３０の位置に連動しており、一方の変更に追従して他方も変更される。
【００６２】
欄１４６には、ページボックスの幅及び高さ（単位：ｍｍ）がそれぞれ表示される。すなわち、幅の表示値（２３６．００）は「右（２３６．００）」−「左（０．００）」により算出されると共に、高さの表示値（３２３．００）は「上（３２３．００）」−「下（０．００）」により算出される。
【００６３】
なお、一覧表１３６が表す５つの行のうちの１つには、選択枠１４９が付されている。この選択枠１４９に囲まれた種類、すなわち「仕上がりサイズ」の設定が有効になっている。すなわち、「仕上がりサイズ」の現在の設定値が、テキストボックス群１４４及び欄１４６に表示されている。また、この設定値に基づいて中心線１３２、１３４の位置が決められている。
【００６４】
ステップＳ４において、作業者は、図５のプレビュー画像１２２を視認しながら、ページボックスの位置調整が必要であるか否かを判断する。図５例では、ページボックスの設定値は適切な設定値ではないので、位置調整が必要であると判断し（ステップＳ４：ＹＥＳ）、次のステップ（Ｓ５）に進む。
【００６５】
ステップＳ５において、特定操作受付部７６は、入力部５８を介したドラッグ操作の「開始」を受け付けたか否かを判定する。まだ受け付けていないと判定された場合は、通常の処理動作を実行した後（ステップＳ６）に、ステップＳ４（又はステップＳ５）に戻る。一方、受け付けたと判定された場合は、ステップＳ７に進む。
【００６６】
図６Ａに示すように、フレーム画像１３０上にある任意の位置（本図では、位置Ｐ１）にカーソル１５２を合わせた状態下で、クリック操作があった場合に「開始」の旨を受け付けたと判定する。ここでは、５種類のページボックスのうち、選択枠１４９に囲まれた１種類（仕上がりサイズ）が選択され、この位置の移動が行われる。以下、他のフレーム画像１３０と区別するため、移動対象のフレーム画像を「フレーム画像１５４」と称する。
【００６７】
以下、後述するステップＳ９にて、ドラッグ操作の「終了」を受け付けたと判定されるまで、ステップＳ７及びＳ８を順次繰り返す。
【００６８】
ステップＳ７において、距離判定部７８は、ステップＳ５で選択されたフレーム画像１５４の位置判定を行う。具体的には、距離判定部７８は、フレーム画像１５４の現在位置を取得した上で、フレーム画像１５４と基準枠１１２の距離を算出する。
【００６９】
ステップＳ８において、面付け装置２０は、ドラッグ操作の挙動に応じて、プレビュー画像１２２の更新を行う。ここで、画像更新部７２は、画像変更指示部８６からフレーム画像１５４の移動量を取得し、該移動量を画像作成部８４に供給することで、プレビュー画像１２２の更新を指示する。その後、画像作成部８４は、供給された移動量に基づいて、ページ画像１２８及びフレーム画像１５４の少なくとも一方を移動させた形態を示すプレビュー画像１２２を新たに作成する。これにより、面付け装置２０は、フレーム画像１５４の現在位置の変更に追従したフレーム画像１５４を表示する。
【００７０】
図６Ａに示すプレビュー画像１２２の状態から、カーソル１５２の先端を位置Ｐ１から位置Ｐ２まで移動させるドラッグ操作を行うことで、図６Ｂに示すプレビュー画像１２２の状態に遷移される。
【００７１】
図６Ｂに示すように、カーソル１５２の移動に追従して、プレビュー画像１２２にてページ画像１２８に対するフレーム画像１５４の相対位置の変更（右下方向）が行われる。なお、ドラッグ操作を継続する間に、交点１５６を通る２本の補助線１５８、１６０が併せて表示される。この交点１５６は、基準枠１１２（図４Ｂ）の左上側頂点に相当する。
【００７２】
例えば、フレーム画像１５４と基準枠１１２の位置関係（具体的には、距離）に応じて、補助線１５８、１６０の表示形態を異ならせてもよい。以下、ステップＳ７での距離の算出方法について、図７Ａ〜図７Ｄを参照しながら詳細に説明する。
【００７３】
図７Ａ〜図７Ｄは、フレーム画像１５４と基準枠１１２との位置関係を示す概略説明図である。ここでは、プレビュー画像１２２の左右方向をＸ軸、その上下方向をＹ軸として定義する。
【００７４】
図７Ａ〜図７Ｄに共通して示すように、フレーム画像１５４の一部分（左上隅部）として、Ｙ軸に沿った辺１６２と、Ｘ軸に沿った辺１６４とが表記されている。同様に、基準枠１１２の一部分として、Ｙ軸に沿った辺１６６と、Ｘ軸に沿った辺１６８とが表記されている。
【００７５】
ここで、フレーム画像１５４と基準枠１１２との距離を、Ｘ成分及びＹ成分に分けて定義する。すなわち、辺１６２と辺１６６との離間距離をＸ成分とし、辺１６４と辺１６８との離間距離をＹ成分とする。距離判定部７８は、Ｘ成分（又はＹ成分）が閾値Ｔｈに等しいか大きい場合には「吸着不可」であると判定し、閾値Ｔｈを下回る場合には「吸着可能」であると判定する。
【００７６】
図７Ａでは、距離のＸ成分はΔＸ１であり、距離のＹ成分はΔＹ１であったとする。また、図７Ｂでは、距離のＸ成分はΔＸ２（＜ΔＸ１）であり、距離のＹ成分はΔＹ１であったとする。また、図７Ｃでは、距離のＸ成分はΔＸ１であり、距離のＹ成分はΔＹ２（＜ΔＹ１）であったとする。また、図７Ｄでは、距離のＸ成分はΔＸ２であり、距離のＹ成分はΔＹ２であったとする。例えば、閾値をＴｈとし、ΔＸ２＜Ｔｈ＜ΔＸ１、ΔＹ２＜Ｔｈ＜ΔＹ１の関係が成り立つ場合を想定する。
【００７７】
図６Ｂに戻って、本図における位置関係が図７Ａに対応する場合、補助線１５８、１６０はいずれも、通常の線幅を有する破線で表現される。これは、Ｘ軸、Ｙ軸の両方に対して「吸着不可」である状態を示している。
【００７８】
その後、図６Ｂに示すプレビュー画像１２２の状態から、カーソル１５２の先端を位置Ｐ２から位置Ｐ３まで移動させるドラッグ操作を行うことで、図８Ａに示すプレビュー画像１２２の状態に遷移される。
【００７９】
図８Ａに示す位置関係が図７Ｃに対応する場合、補助線１５８ｂは通常よりも太い線幅を有する破線で表現される。この強調された表示形態は、Ｘ軸に対して「吸着可能」である状態を示している。一方、補助線１６０は、図６Ｂと同様に、通常の線幅を有する破線で表現される（「吸着不可」に相当）。
【００８０】
このように、画像更新部７２は、距離判定部７８による判定結果に応じて、表示形態を異ならせるようにプレビュー画像１２２を更新する。表示形態には、上記した線幅のみならず、他の形状的特徴の変更、色の変更や、視覚効果（例えば、点滅表示、揺動表示等）の付与が含まれてもよく、両者の画像に対して相対的に視認差を設けることができれば手段は問わない。
【００８１】
ステップＳ９において、特定操作受付部７６は、入力部５８を介したドラッグ操作の「終了」を受け付けたか否かを判定する。具体的には、特定操作受付部７６は、維持されていたクリック操作が解除されたか否かを判定する。まだ受け付けていないと判定された場合、ステップＳ７に戻って、以下、ステップＳ７、Ｓ８を順次実行する。一方、受け付けたと判定された場合、次のステップ（Ｓ１０）に進む。
【００８２】
ステップＳ１０において、距離判定部７８は、ステップＳ９にて停止したフレーム画像１５４の位置判定を行う。距離判定部７８は、フレーム画像１５４の現在位置を、暫定的な停止位置として取得する。そして、距離判定部７８は、基準枠１１２との距離（ΔＸ，ΔＹ）を算出した後、閾値Ｔｈとの大小関係を判定する。この判定方法についてはステップＳ７の処理と同様であるので、その説明を省略する。
【００８３】
距離（ΔＸ，ΔＹ）が閾値Ｔｈと等しいかこれを上回ると判定された場合（ステップＳ１０：ＹＥＳ）、画像更新部７２は、ステップＳ１０で取得した停止位置を、現在位置として更新する（ステップＳ１１）。
【００８４】
一方、距離（ΔＸ，ΔＹ）が閾値Ｔｈを下回ると判定された場合（ステップＳ１０：ＮＯ）、画像更新部７２は、ステップＳ１０で取得した停止位置から追加的な移動を行うことで、フレーム画像１５４（の一部）を基準枠１１２に接触させる。図８Ａ例では、ΔＸ（＝ΔＸ２）＜Ｔｈ、ΔＹ（＝ΔＹ１）＞Ｔｈを満たすので、画像更新部７２は、暫定的な停止位置の右方に位置し、且つ基準枠１１２上にある吸着位置を、現在位置として更新する（ステップＳ１２）。
【００８５】
ステップＳ１３において、面付け装置２０は、ステップＳ１２にて実行された追加的な移動に応じて、プレビュー画像１２２の更新を行う。
【００８６】
図８Ｂに示すように、フレーム画像１５４は、カーソル１５２が位置Ｐ３をそのまま指示する状態にもかかわらず、プレビュー画像１２２にてページ画像１２８に対するフレーム画像１５４の相対移動（右方向）が行われる。なお、図８Ａ及び図８Ｂから理解されるように、ドロップ操作が実行された後に、２本の補助線１５８ｂ、１６０が非表示にされる。このように表示することで、あたかもフレーム画像１５４が自発的に移動し、角トンボ１５０に吸着したかのような演出がなされる。
【００８７】
ステップＳ１１又はステップＳ１３が実行された後、ステップＳ４に戻って、以下、ステップＳ４〜Ｓ１３にてページボックスの位置調整を行う。
【００８８】
例えば、図８Ａに示すプレビュー画像１２２の状態から、カーソル１５２の先端を位置Ｐ３から位置Ｐ４まで移動させるドラッグ操作を行うことで、図９Ａに示すプレビュー画像１２２の状態に遷移される。
【００８９】
図９Ａに示す位置関係が図７Ｄに対応する場合、補助線１５８ｂ、１６０ｂはいずれも、通常よりも太い線幅を有する破線で表現される。この強調表示された表示形態は、Ｘ軸、Ｙ軸の両方に対して「吸着可能」である状態を示している。そして、図９Ａに示すプレビュー画像１２２の状態から、ドロップ操作を行うことで、図９Ｂに示すプレビュー画像１２２の状態に遷移される。
【００９０】
図９Ｂに示すように、フレーム画像１５４は、カーソル１５２が位置Ｐ４をそのまま指示する状態にもかかわらず、プレビュー画像１２２にてページ画像１２８に対するフレーム画像１５４の相対移動（左上方向）が行われる。なお、図９Ａ及び図９Ｂから理解されるように、ドロップ操作が実行された後に、２本の補助線１５８ｂ、１６０ｂが非表示にされる。
【００９１】
その結果、図１０Ａに示すように、ページ画像１２８の位置が固定された状態下に、フレーム画像１５４が右下方向に移動される。本図から理解されるように、フレーム画像１５４の左上角部（ページボックスの「左」及び「上」）の位置が適切に調整されている。ところが、この相対移動により、フレーム画像１５４の右下角部（ページボックスの「右」及び「下」）の位置がずれるという問題が生じる。
【００９２】
そこで、カーソル１５２の移動に追従して、プレビュー画像１２２にてページ画像１２８に対するフレーム画像１５４の相対サイズを変更してもよい。この場合、面付け装置２０は、ドラッグ操作を含む特定の操作に応じて、プレビュー画像１２２の更新を行う（図３のステップＳ８）。ここで、画像更新部７２は、画像変更指示部８６からフレーム画像１５４におけるサイズの変更量を取得し、該変更量を画像作成部８４に供給することで、プレビュー画像１２２の更新を指示する。
【００９３】
その後、画像作成部８４は、供給された変更量に基づいて、ページ画像１２８及びフレーム画像１５４の少なくとも一方のサイズを変更させた形態を示すプレビュー画像１２２を新たに作成する。これにより、面付け装置２０は、フレーム画像１５４の現在サイズの変更に追従したフレーム画像１５４を表示する。
【００９４】
その結果、図１０Ｂに示すように、ページ画像１２８のサイズが固定された状態下に、フレーム画像１５４の部位が伸縮・移動されることで、フレーム画像１５４のサイズが変更（本図例では「縮小」）される。本図から理解されるように、フレーム画像１５４の左上角部の位置が適切に調整されている。そして、このサイズ変更によっても、フレーム画像１５４の右下角部の位置がずれることなく維持される。なお、フレーム画像１５４の位置に限られず、サイズを変更する場合であっても、上記した「吸着処理」の機能（図６Ａ〜図９Ｂ参照）をそのまま適用できることは言うまでもない。
【００９５】
このように、作業者は、プレビュー画像１２２を視認しながら、フレーム画像１５４の相対位置及び／又はサイズを適宜変更することで、ページボックスの位置調整を行う。
【００９６】
図３のステップＳ４に戻って、ページボックスの位置調整が必要でないと判定された場合（ステップＳ４：ＮＯ）、ステップＳ１４に進む。
【００９７】
図１１は、ページボックスの設定画面１２０を表す第２の画像図である。この設定画面１２０は、フレーム画像１５４の位置が調整されている点で図５の画面と異なる。フレーム画像１５４の位置調整が行われた結果、一覧表１３６（特に選択枠１４９内の値）、テキストボックス群１４４、及び欄１４６に表記された各値が変更されている。
【００９８】
なお、プルダウンメニュー１４８は、現在の設定値を、どのページ領域（ページ領域１００を含む）に設定するかを選択するコントロールである。例えば、「すべて」、「奇数」、「偶数」又は「範囲指定」（該当ページのみを含む）のうちいずれかを選択できる。
【００９９】
ステップＳ１４において、面付け処理部６６は、ページボックスの設定値を更新することで面付けデータ６４を作成する。作成に先立ち、ボックス位置取得部８０は、設定画面１２０にて設定されたページボックスの位置情報を、ページ領域１００に対応付けて取得する。例えば、複数のページ領域が存在する場合、プレビュー画像１２２の表示対象ではない少なくとも１つのページ領域に更に対応付けて取得してもよい。
【０１００】
そして、面付け処理部６６は、ボックス位置取得部８０により取得された位置情報を含む面付けデータ６４を作成し、メモリ６０に格納・保存させる。なお、面付け装置２０は、その後に、サーバ装置１６に保管させるため、面付けデータ６４を通信Ｉ／Ｆ５２を介して外部に送出してもよい。
【０１０１】
［この実施形態による効果］
以上のように、面付け装置２０は、ページの境界を特定するページボックスをページ領域１００毎に設定する。そして、面付け装置２０は、少なくとも１つの点又は線で特定される基準位置（基準枠１１０、１１２又は基準線１１４、１１６）をページ領域１００の中から決定する基準位置決定部７４と、ページ領域１００に配置されるページ画像１２８に、ページ画像１２８上でのページの境界を示すフレーム画像１３０、１５４を重ねたプレビュー画像１２２を表示する表示部５６と、プレビュー画像１２２にてページ画像１２８に対するフレーム画像１３０、１５４の相対位置の変更及び該変更の停止を指示する画像変更指示部８６と、停止の指示を受け付けた場合に追加的な変更を行うことで、基準位置にフレーム画像１３０、１５４が接するようにプレビュー画像１２２を更新する画像更新部７２とを備える。
【０１０２】
或いは、画像変更指示部８６は、プレビュー画像１２２にてページ画像１２８に対するフレーム画像１３０、１５４の相対サイズの変更及び該変更の停止を指示する。
【０１０３】
このように、プレビュー画像１２２にてページ画像１２８に対するフレーム画像１３０、１５４の相対位置（或いは相対サイズ）の変更及び該変更の停止を指示し、停止の指示を受け付けた場合に追加的な変更を行うことで、決定された基準位置にフレーム画像１３０、１５４が接するようにプレビュー画像１２２を更新するので、停止の指示位置の精度を要することなくフレーム画像１５４を基準位置に移動可能になり、ページボックスをきわめて簡便に設定できる。
【０１０４】
［この実施形態に係る変形例］
続いて、この実施形態の変形例について図１２を参照しながら説明する。この変形例は、カーソル１５２（図６Ａ等）に代替して、入力部５８としてタッチセンサを適用する点で異なる。タッチセンサは、表示部５６に設けられた表示画面上での接触位置又は近接位置を検出する。検出方式として、静電容量方式、抵抗膜方式等を含む種々の方式を採用してもよい。
【０１０５】
図１２に示すように、作業者は、指先１８０を介して表示部５６に接触又は近接することで、プレビュー画像１２２上の位置を指示できる。ハッチングを付した閉領域は、表示画面上の接触部位１８２に相当する。本図から理解されるように、タッチセンサを介した指示入力では、本実施形態のカーソル１５２（図６Ａ等）と比べて、位置検出性又は空間分解能が低いため、フレーム画像１５４の移動量を調節するのが困難である。
【０１０６】
そこで、上記した「吸着処理」を適用することで、フレーム画像１５４を基準位置に合わせる操作が極めて容易になり、作業者の支援という観点でより一層好ましい。
【０１０７】
なお、この発明は、上述した実施形態に限定されるものではなく、この発明の主旨を逸脱しない範囲で自由に変更できることは勿論である。
【０１０８】
この実施形態では、ドラッグ・アンド・ドロップ操作により、フレーム画像１３０、１５４の相対位置（或いは相対サイズ）を変更させる場合を例示したが、この操作に限られない。特定操作受付部７６は、他の操作と区別可能である一連の操作を受け付けてもよく、例えば、複数の入力デバイスを介した操作を組み合わせた操作であってもよい。
【符号の説明】
【０１０９】
１０…印刷物生産システム                  １６…サーバ装置
１８…ＤＴＰ端末                          ２０…面付け装置
２２…ＲＩＰ装置                          ２４…プルーフ
２６…校正機                              ２８…刷版
３２…印刷物                              ３４…オフセット印刷機
３８…校正用紙                            ４０…印刷用紙
５０…制御部                              ６０…メモリ
６２…コンテンツデータ                    ６４…面付けデータ
６６…面付け処理部                        ７２…画像更新部
７４…基準位置決定部                      ７８…距離判定部
８０…ボックス位置取得部                  ８６…画像変更指示部
１００…ページ領域                        １０２…コンテンツ画像
１０４ａ〜１０４ｄ、１５０…角トンボ      １０６ａ〜１０６ｄ…中央トンボ
１１０、１１２…基準枠                    １１４、１１６…基準線
１２０…設定画面                          １２２…プレビュー画像
１２４…設定欄                            １２８…ページ画像
１３０、１５４…フレーム画像              １３２、１３４…中心線
１５８、１５８ｂ、１６０、１６０ｂ…補助線
【図１】
2015007951.tif 000003
【図２】
2015007951.tif 000004
【図３】
2015007951.tif 000005
【図４】
2015007951.tif 000006
【図５】
2015007951.tif 000007
【図６】
2015007951.tif 000008
【図７】
2015007951.tif 000009
【図８】
2015007951.tif 000010
【図９】
2015007951.tif 000011
【図１０】
2015007951.tif 000012
【図１１】
2015007951.tif 000013
【図１２】
2015007951.tif 000014